(57)【要約】【課題】ケーシングに通し入れた紙管を梃子６で押さえて紙管の挿入方向に対して平行なカッター取り付け軸に取り付けたカッターで切断することで、所望の位置を正確に容易に切断可能とする。【解決手段】ケーシング２ａ，ｂに設けた紙管挿入穴１５に通し入れた紙管１を梃子６先端のローラ７とカッター３間に挟んで、ケーシング２ａの側壁に開けた覗き窓１７より中に入れた紙管１を目視してカッター３の切断位置を確認しながら、紙管叉はカッターを手回し回転することで紙管の周囲を切断する切断機構を備え、該ケーシング内の梃子６の先端部に２個のローラを設けて、梃子を支点軸８に軸支してその先端部９をケーシングの外に出しスプリング１０で梃子を介してその先端部のローラとカッター間に紙管を押圧し、前記の切断機構で綴じる書類の厚みにより所望の長さに紙管を切断することを特徴とする。【選択図】図１
2006272513.tif 000002
【特許請求の範囲】
【請求項１】
ケーシングに通し入れた紙管をカッターに押圧するために梃子６をケーシング２ａ，ｂに設けた支点軸８に設けその先端部で紙管を押圧し、カッターの取り付け軸を中心に設けたケーシング２ａ，ｂに紙管挿入穴１５を設け、前記の梃子６の一方の先端に設けたローラ７と前記の取り付け軸に取り付けたカッター３で前記の紙管挿入穴１５に通し入れた紙管を挟んで、ケーシング２ａの側壁に開けた覗き窓より前記紙管を目視して切断位置を確認しながら、紙管叉はカッターを備えたケーシングを手回し回転することで紙管の周囲を切断することを特徴とする紙管切断器。
【請求項２】
該ケーシング内の梃子６の先端部に少なくとも２個のローラを設けてカッターに紙管を押圧するスプリングを設けてあることを特徴とする請求項１に記載の紙管切断器。
【請求項３】
先端部にローラを備えた梃子６を軸支してその他方の先端部をケーシングの外に出しケーシング内壁に設けたスプリング１０で紙管をカッター刃に押圧し、前記ローラとカッター間に挟まれた紙管を回転させて所望の長さに切断する切断機構を備えることを特徴とする請求項２に記載の紙管切断器。
【請求項４】
ボールペンなどの軸棒をハンドル軸穴１１に通してケーシングを回転させることができる同一円形のハンドル軸穴を備えるケーシングであることを特徴とする請求項１ないし３のいずれかに記載の紙管切断器。
【請求項５】
掌の滑り止めのためにケーシングの側面に凹凸を備えることを特徴とする請求項１ないし４のいずれかに記載の紙管切断器。
【請求項６】
ケーシング２ａとケーシング２ｂとを着脱して開閉可能に構成してケーシング２ａの中心に設けたカッターの取り付け軸の軸中心部にはカッター中心穴に挿入する凸部を設け、ケーシング２ｂの中心に設けたカッターの取り付け軸の軸中心部には前記の凸部を嵌める凹部を設けて、取り付け軸の凹凸部に挟んでカッターの刃を取り付け、ケーシング２ａ，ｂの紙管挿入穴に通し入れた紙管にカッター刃が当たる位置の変更を可能にすることを特徴とする請求項１に記載の紙管切断器。
【請求項７】
ケーシング２ａとケーシング２ｂとを螺子の着脱で開閉可能に構成することを特徴とする請求項１ないし６のいずれかに記載の紙管切断器。
【発明の詳細な説明】
【技術分野】
【０００１】
本発明は、多くの枚数を集めた書類を一冊のファイルに綴じるため、ファイル綴じ用の長い紙管をファイルの厚みの所望の長さに正確に切断することが容易な紙管の切断器に関するものである。
【背景技術】
【０００２】
紙管切断機の装置は、特許文献１〜１５に示されるようにそれぞれモーターで装置を駆動し、工場で製造装置を用いて大量に製造されている長い紙管を出荷用などの梱包を作る必要から紙管を切断するために開発されているものであって、ファイル綴じのための直径６ミリメートル前後の、長さ約８００ミリメートル程度の紙管を綴じるファイルの厚みに切断するための取り扱いが軽便で安全な装置ではない。したがって、これら特許文献に記載の紙管切断機は事務机の上で事務処理用として使用するために開発された装置ではないから、書類の厚みに応じて所望の長さに紙管を切断するために適用するものであるとはいえない。
【０００３】
しかし、机上で会計書類などのファイル綴じに紙管を供するときには、それよりもっと手軽に扱える事務用の紙管切断器を開発する必要がある。本発明は、このような使用目的の需要に供すべく新規に開発されたものである。
【０００４】
ファイル綴じのために生産される紙管をファイルの厚みに適するために切断する紙管切断器の用途において、従来の事務用の鋏、ナイフ、などによる場合その欠点は容易軽便さを求められる切断の操作性に関して大きな障害である。具体的には、手や机を傷つけたり、紙管に垂直に切断できないとか、紙管の切り口に歪みが生じるとか、切り口に残る紙くずが付着するなどのため書類の綴じ上がりに問題があった。
【０００５】
この改善策として、紙管の周囲にカッターを押圧しつつ紙管を回転させて切断する方法がある。特許文献1〜１７はいずれも紙管の切断を行うものであるが機械的に大きな装置で事務用書類綴じの用には適用できない。
【特許文献１】特開２００５−０４６９６１号公報
【特許文献２】特開２００４−０２５４１９号公報
【特許文献３】特開２００２−２７３６９５号公報
【特許文献４】特開２００２−２７３６８６号公報
【特許文献５】特開２００２−１３７１９２号公報
【特許文献６】特開２００２−１２７０８８号公報
【特許文献７】特開２０００−２８８９８０号公報
【特許文献８】特開２０００−１６７７９５号公報
【特許文献９】特開２０００−１１７６８６号公報
【特許文献１０】特開２０００−０３３５９７号公報
【特許文献１１】特開１０−１５６７９１号公報
【特許文献１２】特開８−２７６３９６号公報
【特許文献１３】特開７−２２７７９６号公報
【特許文献１４】特開７−１５６０９９号公報
【特許文献１５】特開６−３１６８６号公報
【特許文献１６】特開６−９１５７号公報
【特許文献１７】特開６−１０６４９３号公報
【発明の開示】
【発明が解決しようとする課題】
【０００６】
解決しようとする問題点は、書類をファイルに綴じるために使用する長さ約８０ミリメートルの紙管をファイルの綴じる厚さに応じて所望の長さに切断するためのものであって、短く切断した紙管を用いて多くの枚数が入った書類をファイルすることを目的とする。ケーシングの中心にカッターを設けてケーシングの紙管挿入穴に通し入れた紙管の周囲を梃子で押さえて、挿入方向の紙管に対して平行に設けた取り付け軸に直角に取り付けたカッターの刃に紙管を押圧して紙管を回転して切断することで、紙管の所望の位置を容易に正確に切断可能とする。
【課題を解決するための手段】
【０００７】
本発明は、ケーシング２ａ，ｂに設けた紙管の挿入穴１５に通し入れた紙管を梃子６先端のローラ７とカッター３間に挟み、スプリングで梃子を押圧して、ケーシング２ａの側壁に開けた覗き窓１７より中に挿入している紙管１を目視してカッター３の切断位置を確認しながら、紙管叉はカッターを手回し回転することで紙管の周囲にカッターで切れ目を入れて切断する切断機構を備えている。この切断機構は該ケーシング内の梃子先端部に少なくとも２個のローラを設けて、そのローラとカッターの間に挟まれた紙管がカッターの取り付け軸と平行になるように設定され、紙管を押さえる梃子を支点軸８に軸支してその先端部をケーシングの外に出し、ケーシング内壁に設けたスプリング１０は梃子を介して先端部で紙管をカッターに押圧して、紙管挿入穴に入れた紙管を所望の位置で切断することを特徴とする。
【発明の効果】
【０００８】
本発明の紙管切断器は、ケーシングの紙管挿入穴に紙管を通してスプリングで紙管を押さえて切断位置を任意に設定でき、カッター又は紙管を手回しで回転させて紙管の周囲を正確に垂直に切断できるので、ファイルする書類の厚みに対応した所望の長さに容易に切断できるという利点がある。
【発明を実施するための最良の形態】
【０００９】
ファイルする書類の厚みに対応して所望の長さに紙管を正確に容易に切断するという目的を、事務用品としての軽便さと安全性を損なわずに実現した。
【実施例１】
【００１０】
図１〜６は、本発明装置の１実施例を示す図面であって、  １は、  紙管、  ２ａ，ｂは、    ケーシング、  ３は、  カッター、  ４は、    カッターの取り付け軸に設けた凸部、  ５は、    同凹部、  ６は、    梃子、  ７は、    ローラ、  ８は、    支点軸、  ９は、    取っ手、  １０は、    スプリング、  １１は、    ハンドル軸穴、  １２は、    滑り止め凹凸、  １３ａは、    ケーシング取り付け螺子、  １３ｂは、    梃子の支点軸止め螺子（ケーシング取り付け螺子を兼ねる。）、  １４は、    ケーシングの側面、  １５は、    紙管挿入穴、  １６は、    カッターの取り付け軸、  １７は、    ケーシングａ，ｂの取り付け部、  １８は、    梃子の停止位置決めストッパー、  １９は、    覗き窓である。
【００１１】
本発明の紙管切断器は、紙管１を先端部で押さえる梃子６をケーシング２ａ，ｂに設けた支点軸８に軸支して、カッター３の取り付け軸１６を中心に設けたケーシング２ａ，ｂに紙管挿入穴１５を設け、前記の梃子６の一方の先端部に設けたローラ７と前記の取り付け軸１６に取り付けたカッター３で紙管挿入穴１５に入れた紙管１を挟んで、ケーシング２ａの側壁に開けた覗き窓１９より前記の紙管挿入穴に入れた紙管を目視して切断位置を確認しながら、紙管叉はカッターを備えたケーシングを手回し回転することで紙管の周囲を切断することができるようにしたものである。
【００１２】
該ケーシング２ａ，ｂ内の梃子６の先端部に少なくとも２個のローラを設けてある。  このローラ７は、紙管挿入穴１５に挿入した紙管１を軽く回転させるコロの役割を有しており、回転を容易し紙管の切断を早くきれいにする作用がある。梃子６のもう一方の先端部は、ケーシング２の外に出して取っ手９になっている。梃子６には支点軸穴を有し、この軸穴にはケーシング２ａに凸設してある支点軸８を嵌めて、ケーシング２ａに蓋されたケーシング２ｂの上から梃子６の支点軸止め螺子１３ｂによって軸支されている。
【００１３】
ケーシング内壁にスプリング１０を設け、梃子を押さえているスプリング１０によって紙管１をカッター３に押圧して、前記ローラ７とカッター３間に挟まれた紙管を手回し回転させるとカッター３の刃が紙管１を所望の位置で切断することができる。実施例においては、紙管は１８ミリメートル乃至８０ミリメートルの所望の長さに切って、厚みのある書類を綴じるために使用し、紙管の寸法については、長さ約８０ミリメートル、内径４ミリメートル、紙厚１ミリメートル弱、直径６ミリメートル前後の分別不要の紙管である。この紙管の大きさは１例を示すものであって、これよりやや大きい紙管であっても、本発明装置で前記ローラ７とカッター３間に挟まれた紙管を切断することが可能である。
【００１４】
同一円形のハンドル軸穴１１をケーシング２ａ，ｂにそれぞれ備えることにより、紙管１を容易に回転させることもできる。ボールペンなどの軸棒をハンドル軸穴１１に通してケーシングを回転させると紙管も回転して更に容易に切断ができる
【００１５】
ケーシング２ａの側壁１４の外周の側面に滑り止め凹凸１２を備えることにより、掌に入れた紙管切断器の滑りをとめるので掌で操作が容易にできる。
【００１６】
ケーシングは、ケーシング２ａとケーシング２ｂとをケーシング取り付け螺子１３ａと梃子の支点軸止め螺子１３ｂで取り付け部１７と支点軸８とに着脱して開閉可能に構成してある。図４〜６に基づいてケーシング２ａ，ｂにカッターを取り付けている状態を説明すると、ケーシング２ａの中心に設けたカッターの取り付け軸１６の軸中心部にはカッターの中心穴に挿入する凸部４を設け、ケーシング２ｂの中心に設けたカッターの取り付け軸１６の軸中心部には前記の凸部４を嵌める凹部５を設けて、取り付け軸の凹凸間に挟まれてカッター３の中心穴を入れ、カッター３の位置を変更することが可能に取り付けてあって、ケーシング２ａ，ｂの紙管挿入穴１５に差し入れた紙管１にカッター刃が当たる位置の変更を可能にする。このためにカッター３の中心には六角形の穴を設け、前記の凸部４を六角形にしてカッター３の中心の穴に入れる。
【００１７】
ケーシング２ａとケーシング２ｂとをケーシング取り付け螺子１３ａと梃子の支点軸止め螺子１３ｂの着脱で開閉可能に構成して、カッターの位置の変更ができるようにしたことでカッターの切れ味を維持する効果がある。
【００１８】
図１〜６の実施例は、ファイルする書類の厚みに対応して所望の長さに紙管を切断するという目的のために使用するためのものであって、事務用品としての軽便さと安全性を備えているものである。
紙管の切り口を美しく早く切断するためには、紙管の回転の良いことが要となるので、梃子の先端部にローラを設けたことは回転を軽くして紙管切断器の操作性向上と紙管を用いて多くの書類をファイルする対象の拡大に役立つものである。
【産業上の利用可能性】
【００１９】
ケーシング中央のカッター取り付け軸に取付けたカッターに紙管の周囲を押し当てて、カッターに押圧した紙管又はケーシングを回転させることで容易に紙管を所望の長さに切断ができ、ケーシングの側面部に微凹凸を設けることによって、手が滑り難くかつケーシングの側面に覗き窓を開けて使用者による切断位置の直視が可能にしたので紙管を所望の長さに正確に切断することができる。博物館、図書館、学校、会社、運送店、商店、事務所など職場の膨大な保存すべき価値ある資料や書類を整理整頓するためには本発明の切断器を必ず必要とされるものであるので、これは事務用品としての幅広い利用が可能である。
【図面の簡単な説明】
【００２０】
【図１】紙管切断器の実施方法を示した斜視図である。（実施例１）
【図２】紙管切断器の実施方法を示した平面図である。（実施例1）
【図３】紙管切断器の実施方法を示した底面図である。（実施例１）
【図４】紙管切断器の実施方法を示した正面図である。（実施例1）
【図５】紙管切断器の実施方法を示した断面図である。（実施例１）
【図６】紙管切断器の紙管切断機構のみを示した拡大平面図である。（実施例1）
【符号の説明】
【００２１】
１    紙管
２ａ，ｂ    ケーシング
３    カッター
４    カッターの取り付け軸に設けた凸部
５    同凹部
６    梃子の先端部
７    ローラ
８    支点軸
９    取っ手(梃子のもう一方の先端部)
１０    スプリング
１１    ハンドル軸穴
１２    滑り止め凹凸
１３ａ    ケーシング取り付け螺子
１３ｂ    梃子の支点軸止め螺子（ケーシング取り付け螺子）
１４    ケーシングの側面
１５    紙管挿入穴
１６    カッターの取り付け軸
１７    ケーシング取り付け部
１８    梃子の停止位置決めストッパー
１９    覗き窓
【図１】
2006272513.tif 000003
【図２】
2006272513.tif 000004
【図３】
2006272513.tif 000005
【図４】
2006272513.tif 000006
【図５】
2006272513.tif 000007
【図６】
2006272513.tif 000008